(57)【特許請求の範囲】
【請求項１】
垂下する前垂れ部を前端縁の全長にわたって有する本体のシンク配設部において、本体前端縁から前方にその全長にわたって膨出する膨出部が、本体前端縁に一体に設けられ、この膨出部は、本体の厚みより厚く、下面部に、人の手指が掛かる大きさ及び形状を有する手掛かり部が凹設され、膨出部の前側下端部に水切り部が設けられ、水切り部は、膨出部の前側下端部から手掛かり部に向かって下方に傾斜し、手掛かり部の下端前方に凸状に突出していることを特徴とするキッチンカウンター。
【請求項２】
膨出部の上面は、本体上面より上方に位置し、膨出部上面から本体上面にかけて傾斜面状の水止め部が設けられている請求項１記載のキッチンカウンター。
【発明の詳細な説明】
【０００１】
【発明の属する技術分野】
この出願の発明は、キッチンカウンターに関するものである。さらに詳しくは、この出願の発明は、炊事作業時の体のもたれかけや手置きなどの機能を、サポートバーを取り付けず、キッチンカウンター全体の意匠を良好に保持しつつ、容易かつ安価に実現可能とするキッチンカウンターに関するものである。
【０００２】
【従来の技術】
炊事作業の利便性、快適性などを高めるために様々な工夫が考え出されてきている。その一つに、体を流し台にもたれかけやすくし、また、座位での炊事作業時の手置きともなるようなサポートバーが知られている。
【０００３】
たとえば図６に示したように、サポートバー（１０）は、木製、金属製などのバー材（１１）からなり、通常、流し台の上面部を形成するキッチンカウンター（１）の本体（２）の前端縁の全長にわたって備えた垂下する前垂れ部（３）に配設される。このようなサポートバー（１０）が配設された流し台では、人は、炊事作業時に、サポートバー（１０）に体をもたれかけることができるため、立ち作業となる炊事作業時の足腰にかかる体重を軽減することができ、また、椅子に座り、座位において炊事作業を行う場合には手置きともなり、腕への負担を軽減することができる。その結果、炊事作業の肉体的な疲労が緩和され、快適性が高まる。
【０００４】
【発明が解決しようとする課題】
しかしながら、これまでに提供されているサポートバー（１０）は、一般にオプション品であり、キッチンカウンター（１）とは別部材とされている。このため、サポートバー（１０）の取付けは任意であり、人の好みや予算などに応じて取り付けることができ、また、後付け可能である一方で、たとえば、サポートバー（１０）の取付作業や意匠面などにおいて次に示すような課題が見出される。
【０００５】
第一に、キッチンカウンター（１）が、いわゆる人工大理石と称される樹脂製の場合、サポートバー（１０）を取り付ける際には、図６に示したように、キッチンカウンター（１）の本体（２）の裏面前端縁部及び前垂れ部（３）の裏面部の両方に桟木（１２）を固定し、そして、この桟木（１２）にサポートバー（１０）の固定用のネジ穴を、また、前垂れ部（３）には、固定ネジ（１３）の桟木（１２）への螺着を可能とする貫通穴（１４）を加工して形成する必要がある。このように、サポートバー（１０）の取付けは工数をともない、しかも、前垂れ部（３）への貫通穴（１４）の形成は、その周辺に割れや欠けが生じないように慎重に行わなければならず、煩わしく、手間のかかるものとなっている。
【０００６】
第二に、サポートバー（１０）は別部材であることから、違和感なくキッチンカウンター（１）に配設しようとすると、キッチンカウンター（１）と釣り合うような形状及び材質にする必要があり、これは、コストに反映する。
【０００７】
この出願の発明は、このような事情に鑑みてなされたものであり、炊事作業時の体のもたれかけや手置きなどの機能を、サポートバーを取り付けず、キッチンカウンター全体の意匠を良好に保持しつつ、容易かつ安価に実現可能とするキッチンカウンターを提供することを解決すべき課題としている。
【０００８】
【課題を解決するための手段】
この出願の発明は、以上の課題を解決するものとして、垂下する前垂れ部を前端縁の全長にわたって有する本体のシンク配設部において、本体前端縁から前方にその全長にわたって膨出する膨出部が、本体前端縁に一体に設けられ、この膨出部は、本体の厚みより厚く、下面部に、人の手指が掛かる大きさ及び形状を有する手掛かり部が凹設され、膨出部の前側下端部に水切り部が設けられ、水切り部は、膨出部の前側下端部から手掛かり部に向かって下方に傾斜し、手掛かり部の下端前方に凸状に突出していることを特徴とするキッチンカウンター（請求項１）を提供する。
【０００９】
またこの出願の発明は、膨出部の上面は、本体上面より上方に位置し、膨出部上面から本体上面にかけて傾斜面状の水止め部が設けられていること（請求項２）を一態様として提供する。
【００１０】
以下、図面に沿ってこの出願の発明のキッチンカウンターについてさらに詳しく説明する。
【００１１】
【発明の実施の形態】
図１＜ａ＞＜ｂ＞は、それぞれ、この出願の発明のキッチンカウンターの一実施形態を示した平面図、正面図である。図１＜ａ＞図中のＡ−Ａ断面、Ｂ−Ｂ断面、Ｃ−Ｃ断面、そして、Ｄ−Ｄ断面を示したのが、図２〜図５の要部断面図である。
【００１２】
図１＜ａ＞＜ｂ＞に示したように、この出願の発明のキッチンカウンター（１）は、これまでのキッチンカウンター（１）と同様に、垂下する前垂れ部（３）を本体（２）の前端縁の全長にわたって有しているが、この出願の発明のキッチンカウンター（１）には、本体（２）のシンク配設部（４）、すなわち、図２〜図４に示したように、一般に、本体（２）の厚み（t2）相当分一段々落ちして形成され、シンクの配設に際してこの部分が切り抜かれてシンクが納められる部位において、本体（２）の前端縁から前方にその全長にわたって膨出する膨出部（５）が、本体（２）の前端縁に一体に設けられている。図４に示したように、膨出部（５）は、その厚み（t5）が本体（２）の厚み（t2）より厚くされている。
【００１３】
したがって、この出願の発明のキッチンカウンター（１）では、以上の膨出部（５）が、図６に例示されるこれまでのサポートバ―（１０）と同様な機能を果たす。すなわち、人は、炊事作業中にその膨出部（５）に体をもたれかけることができ、また、椅子に座って行う座位での炊事作業時の手置きとして使用することができる。膨出部（５）は、前述の通り、本体（２）の前端縁に一体に設けられているため、別部材として用意したサポートバー（１０）の取付け時の手間や煩わしさが解消される。膨出部（５）の形成は容易である。さらに、膨出部（５）は、キッチンカウンター（１）の本体（２）と同質の材料、たとえば、人工大理石などの樹脂製などとすることができ、しかも、図１＜ａ＞に示したように、本体（２）と違和感のない大きさ及び形状とすることもできるため、キッチンカウンター（１）の全体としての意匠性を何ら損なわない。コスト低減が図られる。
【００１４】
また、この出願の発明のキッチンカウンター（１）には、図１＜ｂ＞にも示したように、以上の膨出部（５）の下面部に、人の手指が掛かる大きさ及び形状を有する手掛かり部（６）が凹設される。図６に示したこれまでのサポートバー（１０）は、前述の通り、炊事作業時の体のもたれかけや手置きとして機能するばかりでなく、バー材（１１）からなるため、つかめるという機能を有してもいる。このつかめるという機能を実現するのが、上記の手掛かり部（６）である。
【００１５】
手掛かり部（６）の大きさ及び形状を図４を例として具体的に示すと、キッチンカウンター（１）の本体（２）及び前垂れ部（３）の厚みを8mm、すなわち、t2=t3=8mmとした時、前垂れ部（３）の前面から膨出部（５）までの幅（ｗ）は25mm、前垂れ部（３）の下面から手掛かり部（６）の頂部面までの高さ（ｈ6）は24mm程度とすることができ、また、手掛かり部（６）は、頂部を境にして前側の面の曲率（ｒ）を5mm、後側の面の曲率（Ｒ）を10mm程度とすることができる。
【００１６】
たとえば以上の大きさ及び形状とすることのできる手掛かり部（６）は、人の手指が容易に掛かり、したがって、バー材（１１）からなるサポートバー（１０）のつかめるという機能と同等の機能を実現する。
【００１７】
このように、この出願の発明のキッチンカウンター（１）は、炊事作業時の体のもたれかけや手置きなどの機能を、サポートバー（１０）の取付けなしにキッチンカウンター（１）の全体の意匠を良好に保持しつつ、容易かつ安価に実現するのを可能とする。
【００１８】
さらにこの出願の発明のキッチンカウンター（１）では、図４に示したように、膨出部（５）の上面を本体（２）の上面より上方に位置させ、膨出部（５）の上面から本体（２）の上面にかけて傾斜面状の水止め部（７）を設けることができる。具体的には、本体（２）の上面からの膨出部（５）の上面の高さ（ｈ5）は、本体（２）の厚み（t2）が前述と同様の8mmとした時、11mm程度とすることができ、水止め部（７）の傾斜角度（θ）は135°とすることができる。このような水止め部（７）により、前述のシンク配設部（４）にシンクが配設されても、炊事作業に際してキッチンカウンター（１）の前端縁側に向かう水などは堰き止められ、シンクへと返され、炊事作業する人に水などがかかるのを抑制することができる。
【００１９】
さらにまたこの出願の発明のキッチンカウンター（１）には、図４に示したように、膨出部（５）の前側下端部に、下方に突出する水切り部（８）が設けられる。この水切り部（８）は、図４に示したように、膨出部（５）の前側下端部から手掛かり部（６）に向かって下方に傾斜し、手掛かり部（６）の下端前方に凸状に突出している。水切り部（８）は、前記水止め部（７）を乗り越えて水などが手掛かり部（６）に回り込むのを防ぎ、前垂れ部（３）にまで達してキッチンカウンター（１）の下方に配設されるキャビネットの扉面などを濡らすのを防止する。したがって、流し台は美麗に保持される。水切り部（８）から滴下する水などは、床面を濡らすだけである。
【００２０】
なお、この出願の発明のキッチンカウンター（１）には、さらにまた、図５に示したように、前垂れ部（３）を有する本体（２）の前端縁部（９）を本体（２）の全長にわたってやや高くし、キッチンカウンター（１）の本体（２）の上に置く食料品、調理用具、調理器具などの各種物品の落下を抑制することができる。前端縁部（９）の高さ（t9）は、たとえば、本体（２）の厚み（t2）を8mmとした時、3mm程度とすることができる。
【００２１】
もちろん、この出願の発明は、以上の実施形態によって限定されるものではない。キッチンカウンターの本体や膨出部の材質をはじめ、本体、膨出部、手掛かり部、水止め部、そして、水切り部の大きさ及び形状などの細部については様々な態様が可能であることはいうまでもない。
【００２２】
【発明の効果】
以上詳しく説明した通り、この出願の発明によって、炊事作業時の体のもたれかけや手置きなどの機能を、サポートバーを取り付けず、キッチンカウンター全体の意匠を良好に保持しつつ、容易かつ安価に実現可能となる。
【図面の簡単な説明】
【図１】＜ａ＞＜ｂ＞は、それぞれ、この出願の発明のキッチンカウンターの一実施形態を示した平面図、正面図である。
【図２】図１＜ａ＞図中のＡ−Ａ断面を示した要部断面図である。
【図３】図１＜ａ＞図中のＢ−Ｂ断面を示した要部断面図である。
【図４】図１＜ａ＞図中のＣ−Ｃ断面を示した要部断面図である。
【図５】図１＜ａ＞図中のＤ−Ｄ断面を示した要部断面図である。
【図６】キッチンカウンターへのサポートバーの配設について示した要部断面図である。
【符号の説明】
１    キッチンカウンター
２    本体
３    前垂れ部
４    シンク配設部
５    膨出部
６    手掛かり部
７    水止め部
８    水切り部
９    前端縁部
１０    サポートバー
１１    バー材
１２    桟木
１３    固定ネジ
１４    貫通穴
【図１】
0003736423.tif 000002
【図２】
0003736423.tif 000003
【図３】
0003736423.tif 000004
【図４】
0003736423.tif 000005
【図５】
0003736423.tif 000006
【図６】
0003736423.tif 000007